(57)【要約】【課題】充電池等の物品が誤った姿勢で格納室に挿入された場合であっても、容易に該物品を格納室から引き抜くことが出来る電子機器を提供する。【解決手段】本発明の実施の形態に係るデジタルカメラにおいては、格納室３は、その奥行き方向に並ぶ第１格納室部３１と第２格納室部３２とを有している。第１格納室部３１は、充電池が第１の姿勢で挿入されるときよりも、充電池が挿入方向軸を中心として反転した第２の姿勢で挿入されるときの方が充電池に大きな摩擦抵抗を及ぼす第１断面形状を有する。一方、第２格納室部３２は、充電池が第１の姿勢と第２の姿勢の何れの姿勢で挿入されるときにも、充電池が第２の姿勢で挿入されるときに第１の断面形状が充電池に及ぼす摩擦抵抗よりも小さな摩擦抵抗で充電池を通過させる第２の断面形状を有している。【選択図】図６
2010107684.tif 000002
【特許請求の範囲】
【請求項１】
物品を格納するための格納室が形成され、該格納室は、該物品を挿入するための入口を有し、該物品は、挿入方向に垂直な断面の形状が互いに直交する２軸の少なくとも何れか一方の軸に対して非対称な部分を有している電子機器において、
前記格納室は、その奥行き方向に並ぶ第１格納室部と第２格納室部とを有し、第１格納室部は、前記物品が第１の姿勢で挿入されるときよりも、該物品が挿入方向軸を中心として反転した第２の姿勢で挿入されるときの方が物品に大きな摩擦抵抗を及ぼす第１断面形状を有する一方、第２格納室部は、前記物品が前記第１の姿勢と第２の姿勢の何れの姿勢で挿入されるときにも、該物品が前記第２の姿勢で挿入されるときに前記第１の断面形状が該物品に及ぼす摩擦抵抗よりも小さな摩擦抵抗で物品を通過させる第２断面形状を有していることを特徴とする電子機器。
【請求項２】
前記第１の断面形状は、前記第１の姿勢における物品の非対称部分の断面形状と略相似の形状であって、該物品が前記第１の姿勢で挿入されるときに該物品の周囲に隙間が形成され、前記第２の断面形状は、前記第１の姿勢における物品の非対称部分の断面形状と前記第２の姿勢における物品の非対称部分の断面形状とを重ね合わせた形状よりも、輪郭の大きな形状を呈している請求項１に記載の電子機器。
【請求項３】
前記第１格納室部は格納室の入口側に配置され、前記第２格納室部は格納室の奥方側に配置されている請求項１又は請求項２に記載の電子機器。
【請求項４】
前記第１格納室部を形成する内壁は、前記第２格納室部を形成する内壁に対して格納室の内側に突出すると共に、前記格納室の奥方側に、該格納室の入口側に向かって拡がる傾斜面を有している請求項１乃至請求項３に記載の電子機器。
【発明の詳細な説明】
【技術分野】
【０００１】
本発明は、デジタルカメラ等の電子機器に関し、特に充電池等の物品を格納するための格納室を有する電子機器に関する。
【背景技術】
【０００２】
従来から、デジタルカメラ等の電子機器には、充電池や、バッテリパック、メモリカードなどの物品を格納するための格納室が形成されている。そして、格納室及び物品の何れについても挿入方向に対する断面形状が非対称となっており、物品が格納室に挿入されるべき所定の姿勢において、格納室の断面形状は物品の断面形状と略相似の形状であって、該所定の姿勢で挿入されるときに、該物品の周囲には僅かな隙間が形成される（例えば、特許文献１や特許文献２参照）。これにより、誤った姿勢で物品を格納室に挿入することが出来なくなり、その結果、誤った姿勢での物品の挿入が防止されることとなる。
【特許文献１】特開平７−２８９５９号公報
【特許文献２】特開平１１−３０７０７２号公報
【発明の開示】
【発明が解決しようとする課題】
【０００３】
しかし、格納室を形成する内壁や物品の外壁に樹脂が用いられている電子機器では、物品が、誤った姿勢のまま格納室に無理やり挿入されて圧入状態となる虞がある。圧入状態となった物品は格納室から抜けにくく、該物品をペンチ等の道具で挟んで引き抜こうとすると、該物品は破損してしまう虞がある。
【０００４】
そこで本発明の目的は、充電池等の物品が誤った姿勢で格納室に挿入された場合であっても、容易に該物品を格納室から引き抜くことが出来る電子機器を提供することである。
【課題を解決するための手段】
【０００５】
本発明に係る電子機器は、物品（２）を格納するための格納室（３）が形成され、該格納室（３）は、該物品（２）を挿入するための入口（３ａ）を有し、該物品（２）は、挿入方向に垂直な断面の形状が互いに直交する２軸（Ｘ１，Ｘ２）の少なくとも何れか一方の軸に対して非対称な部分（２２）を有している。
【０００６】
前記格納室（３）は、その奥行き方向に並ぶ第１格納室部（３１）と第２格納室部（３２）とを有し、第１格納室部（３１）は、前記物品（２）が第１の姿勢で挿入されるときよりも、該物品（２）が挿入方向軸を中心として反転した第２の姿勢で挿入されるときの方が物品（２）に大きな摩擦抵抗を及ぼす第１の断面形状を有する一方、第２格納室部（３２）は、前記物品（２）が前記第１の姿勢と第２の姿勢の何れの姿勢で挿入されるときにも、該物品（２）が前記第２の姿勢で挿入されるときに前記第１の断面形状が該物品（２）に及ぼす摩擦抵抗よりも小さな摩擦抵抗で物品（２）を通過させる第２の断面形状を有している。
【０００７】
具体的な構成において、前記第１の断面形状は、前記第１の姿勢における物品（２）の非対称部分（２２）の断面形状と略相似の形状であって、該物品（２）が前記第１の姿勢で挿入されるときに該物品（２）の周囲に隙間が形成される。前記第２の断面形状は、前記第１の姿勢における物品（２）の非対称部分（２２）の断面形状と前記第２の姿勢における物品（２）の非対称部分（２２）の断面形状とを重ね合わせた形状よりも、輪郭の大きな形状を呈している。
【０００８】
上記電子機器によれば、第１の姿勢においては、物品（２）は、第１格納室部（３１）及び第２格納室部（３２）の何れをも通過して格納室（３）に格納されることとなる。一方、第２の姿勢においては、物品（２）が第１格納室部（３１）を通過するときに大きな摩擦抵抗が該物品（２）に及ぶので、電子機器の利用者は、挿入する物品（２）の姿勢が誤った姿勢であることを認識することが出来る。よって、物品（２）が格納室（３）に誤った姿勢のまま挿入されることが防止されることとなる。
【０００９】
又、物品（２）が格納室（３）に誤った姿勢のまま無理やり挿入された場合であって、利用者が該物品（２）を格納室（３）から引き抜こうとした場合、物品（２）は、第２格納室部（３２）からは小さな摩擦抵抗を受けるだけであるので、従来の電子機器のように格納室（３）全体から大きな摩擦抵抗を受けることがない。よって、物品（２）が誤った姿勢で格納室（３）に挿入された場合であっても、容易に該物品（２）を格納室（３）から引き抜くことが出来る。
【００１０】
他の具体的な構成において、前記第１格納室部（３１）は格納室（３）の入口（３ａ）側に配置され、前記第２格納室部（３２）は格納室（３）の奥方側に配置されている。
該具体的構成によれば、電子機器の利用者は、物品（２）を格納室（３）に挿入する初期の段階において、物品（２）の姿勢が誤った姿勢であることを認識することが出来る。或いは、物品（２）の姿勢が誤った姿勢であることを視覚的に認識することが出来る。
【００１１】
更に他の具体的な構成において、前記第１格納室部（３１）を形成する内壁（３１１）は、前記第２格納室部（３２）を形成する内壁（３２１）に対して格納室（３）の内側に突出すると共に、前記格納室（３）の奥方側に、該格納室（３）の入口（３ａ）側に向かって拡がる傾斜面（３１４，３１５）を有している。
該具体的構成によれば、物品（２）が格納室（３）に誤った姿勢のまま無理やり挿入された場合であって、利用者が該物品（２）を格納室（３）から引き抜こうとした場合において、物品（２）の非対称部分（２２）が、第１格納室部（３１）を形成する内壁（３１１）の傾斜面（３１４，３１５）に当接する共に該傾斜面（３１４，３１５）に沿って入口（３ａ）側に向かって斜めに摺動するので、より小さな力でも物品（２）を格納室（３）から引き抜くことが可能である。
【発明の効果】
【００１２】
本発明に係る電子機器によれば、充電池等の物品が誤った姿勢で格納室に挿入された場合であっても、容易に該物品を格納室から引き抜くことが出来る。
【発明を実施するための最良の形態】
【００１３】
以下、本発明をデジタルカメラに実施した形態につき、図面に沿って具体的に説明する。
デジタルカメラは、図１及び図２に示される様にカメラ本体１を具え、カメラ本体１には、撮影に必要な機構、即ちレンズ等で構成された撮像機構１２、デジタルカメラを操作するための操作機構１３、撮影時に発行する発光機構１４などが配備されている。
【００１４】
更に図３に示される様に、カメラ本体１には、充電池２を格納するための格納室３が形成され、該格納室３は、充電池３を挿入するための入口３ａを有している。格納室３には、充電池２が所定の姿勢で入口３ａから挿入されるべきであり、該所定の姿勢で充電池２が格納室に格納されることによって、充電池２からカメラ本体１に電力を供給することが可能となる。以下では、該所定の姿勢を第１の姿勢と呼ぶ。
【００１５】
本実施の形態では、格納室３の入口３ａはカメラ本体１の底面Ａに形成されている。又、カメラ本体１には、図２及び図３に示される様に、格納室３の入口３ａを開閉することが可能な蓋体１１が取り付けられている。尚、蓋体１１を閉じた状態が図２に示され、蓋体１１を開いた状態が図３に示されている。
【００１６】
本実施の形態で用いられる充電池２は、図７に示される様に、対称部分２１と非対称部分２２とを有している。対称部分２１は、図８に示される様に、挿入方向９１（図３及び図７参照）に垂直な断面の形状が、互いに直交する２軸Ｘ１，Ｘ２の両方に対して対称である。
【００１７】
具体的には、対称部分２１の断面形状は、一対の線分２１１，２１２と、一対の円弧２１３，２１４とから構成される外縁を有する。一対の線分２１１，２１２は、長さが同じであり、軸Ｘ１の両側に同じ距離Ｄ１だけ離れた位置を、軸Ｘ１に沿って互いに平行に延びている。一対の円弧２１３，２１４は、一対の線分２１１，２１２のそれぞれの一端どうし及び他端どうしを連結しており、該一対の円弧２１３，２１４の半径ｒ１，ｒ２は何れも距離Ｄ１に等しく、それらの中心Ｏ１，Ｏ２は、軸Ｘ１上であって外縁の内側の位置に配置されている。
【００１８】
一方、非対称部分２２は、図９に示される様に、挿入方向９１（図３及び図７参照）に垂直な断面の形状が、２軸Ｘ１，Ｘ２のうち一方の軸Ｘ１に対して非対称であり、他方の軸Ｘ２に対して対称である。
これにより、非対称部分２２の断面形状は、挿入方向軸Ｚの回りで回転非対称となる。ここで、挿入方向軸Ｚは、挿入方向９１（図３及び図７参照）に沿うと共に両軸Ｘ１，Ｘ２の交点を通る軸である。
【００１９】
具体的には、非対称部分２２の断面形状は、一対の長辺２２１，２２２と、一対の短辺２２３，２２４と、一対の円弧２２５，２２６とから構成される外縁を有する。一対の長辺２２１，２２２はそれぞれ、対称部分２１の線分２１１，２１２に沿って延びており、一方の長辺２２１は、他方の長辺２２２よりも長くなっている。一対の短辺２２３，２２４は、軸Ｘ２の両側に同じ距離Ｄ２だけ離れた位置を、一方の長辺２１１の両端から軸Ｘ２に沿って互いに平行に延びている。一対の円弧２２３，２２４は、他方の長辺２２２の両端と一対の短辺２２３，２２４のそれぞれとを連結しており、該一対の円弧２２５，２２６の半径ｒ３，ｒ４は互いに等しく、その中心Ｏ３，Ｏ４は、軸Ｘ２に対して対称となる位置であって外縁の内側となる位置に配置されている。
【００２０】
上記充電池２の構成によれば、図９に示される様に、非対称部分２２のうち、一方の長辺２２１と一対の短辺２２３，２２４とによって形成される角部２２７，２２８が、対称部分２１の側面から突出することとなる。尚、図９では、対称部分２２の側面が破線によって示されている。
【００２１】
図４は、上記デジタルカメラを底面Ａ側から見た平面図であり、図４に示されているV−V線に沿う断面図が図５に示されている。又、図５に示されている領域VIの拡大図が図６に示されている。
格納室３は、図６に示される様に、その奥行き方向に並ぶ第１格納室部３１と第２格納室部３２とを有している。尚、本実施の形態では、第１格納室部３１は格納室３の入口３ａ側に配置され、第２格納室部３２は格納室３の奥方側に配置されている。
【００２２】
第２格納室部３２の断面形状は、図１１に示される様に、第１の姿勢における充電池２の非対称部分２２の断面形状と、充電池２が挿入方向軸Ｚを中心として反転した第２の姿勢における充電池２の非対称部分２２の断面形状とを重ね合わせた形状よりも、僅かに輪郭の大きな形状を呈している。
尚、図１１では、第１の姿勢における非対称部分２２の断面形状が実線によって示され、第２の姿勢のおける非対称部分２２の断面形状が破線によって示されている。又、本実施の形態においては、第２格納室部３２の断面形状として矩形が採用されている。
【００２３】
一方、第１格納室部３１の断面形状は、図１０に示される様に、第１の姿勢における充電池２の非対称部分２２の断面形状と略相似の形状を有しており、充電池２が第１の姿勢で挿入されるときに充電池２の周囲に僅かな隙間が形成される。
【００２４】
具体的には、第１格納室部３１の断面形状の輪郭の一部が、充電池２の非対称部分２２の断面形状の外縁を構成する一対の円弧２２５，２２６に沿うように、第１格納室部３１を形成する内壁３１１の一部３１２，３１３が、図６及び図１０に示される様に、第２格納室部３２を形成する内壁３２１に対して格納室３の内側に突出している。以下では、該内壁３１１の一部３１２，３１３を突起部と呼ぶ。
【００２５】
上記格納室３の構成によれば、充電池２が第１の姿勢で格納室３に挿入されるときは、図１０に示される様に、第１格納室部３１は、殆ど抵抗なく充電池２の対称部分２１及び非対称部分２２の何れをも通過させると共に、第２格納室部３２も、殆ど抵抗なく充電池２の対称部分２１及び非対称部分２２の何れをも通過させる。
尚、殆ど抵抗（摩擦抵抗）がない状態には、充電池２が第２の姿勢で挿入されるときに充電池２に及ぶこととなる摩擦抵抗よりも小さな摩擦抵抗が充電池２に及んだ状態も含まれるものとする。以下、同様である。
【００２６】
これに対して、第２の姿勢で挿入されるときは、図１２（ａ）に示される様に、充電池２の非対称部分２２の角部２２８，２２７が、第１格納室部２１を形成する内壁３１１の突出部３１２，３１３に引っ掛かる。よって、図１２（ｂ）に示される様に、第２の姿勢のまま充電池２を無理やり格納室３に挿入しようとした場合には、第１格納室部３１において充電池２に大きな摩擦抵抗が及ぶこととなる。即ち、充電池２が第１の姿勢で挿入されるときよりも、充電池２が第２の姿勢で挿入されるときの方が充電池２に大きな摩擦抵抗が及ぶこととなる。
【００２７】
第２の姿勢のまま、充電池２の非対称部分２２が無理やり第２格納室部３２まで挿入された後は、図１２（ｂ）に示される様に、第１格納室部３１は、殆ど抵抗なく充電池２の対称部分２１を通過させると共に、第２格納室部３２は、殆ど抵抗なく充電池２の対称部分２１及び非対称部分２２の何れをも通過させる。
【００２８】
上記デジタルカメラによれば、第１の姿勢においては、充電池２は、第１格納室部３１及び第２格納室部３２の何れをも殆ど抵抗なく通過し、格納室３に格納されることとなる。
一方、第２の姿勢においては、充電池２が第１格納室部３１を通過するときに大きな摩擦抵抗が該充電池２に及ぶので、デジタルカメラの利用者は、挿入する充電池２の姿勢が誤った姿勢であることを認識することが出来る。よって、充電池２が格納室３に誤った姿勢のまま挿入されることが防止されることとなる。
【００２９】
又、充電池２が格納室３に誤った姿勢のまま無理やり挿入された場合であって、利用者が該充電池２を格納室３から引き抜こうとした場合、充電池２は、第２格納室部３２からは受けたとしても小さな摩擦抵抗を受けるだけであるので、従来の電子機器のように格納室３全体から大きな摩擦抵抗を受けることがない。よって、充電池２が誤った姿勢で格納室３に挿入された場合であっても、容易に充電池２を格納室３から引き抜くことが出来る。
【００３０】
更に本実施の形態においては、第１格納室部３１が格納室３の入口３ａ側に配置され、第２格納室部３２が格納室３の奥方側に配置されているので、デジタルカメラの利用者は、充電池２を格納室３に挿入する初期の段階において、充電池２の姿勢が誤った姿勢であることを認識することが出来る。或いは、充電池２の姿勢が誤った姿勢であることを視覚的に認識することが出来る。
【００３１】
更に又、本実施の形態においては、充電池２が格納室３に誤った姿勢のまま無理やり挿入された場合であっても、充電池２の非対称部分２２が第１格納室部３１を通過した後は、充電池２は、第１格納室部３１及び第２格納室部３２の何れからも殆ど摩擦抵抗を受けることがない。従って、充電池２が格納室３に誤った姿勢のまま無理やり挿入された場合でも、充電池２は、第１格納室部３１を形成する内壁３１１によって傷付けられにくい。
【００３２】
図１３（ａ）は、上記デジタルカメラに対する改良形態の例を示している。図１３（ａ）に示される様に、第１格納室部３１を形成する内壁３１１は、第２格納室部３２を形成する内壁３２１に対して格納室３の内側に突出すると共に、格納室３の奥方側に、該格納室３の入口３ａ側に向かって拡がる傾斜面３１４，３１５を有していてもよい。
【００３３】
該改良形態の例によれば、充電池２が格納室３に誤った姿勢のまま無理やり挿入された場合であって、利用者が該充電池２を格納室３から引き抜こうとした場合において、図１３（ｂ）に示される様に、充電池２の非対称部分２２、具体的には該非対称部分２２の角部２２７，２２８が、第１格納室部３１を形成する内壁３１１の傾斜面３１４，３１５に当接する共に該傾斜面３１４，３１５に沿って入口側に向かって斜めに摺動するので、より小さな力でも充電池２を格納室３から引き抜くことが可能である。
【００３４】
図１４及び図１５は、上記デジタルカメラに対する改良形態の他の例を示している。図１４に示される様に、格納室３は２つの第１格納室部３１と１つの第２格納室部３２を有し、２つの第１格納室部３１によって第２格納室部３２を挟んだ状態で、これらの格納室部を奥行き方向に並べてもよい。
【００３５】
又、図１５に示される様に、複数の第２格納室部３２を格納室３に設けてもよい。尚、図１５では、２つの第２格納室部３２が格納室３に設けられた形態が示されている。
【００３６】
図１６及び図１７は、上記デジタルカメラに対する改良形態の更に他の例を示している。充電池２の非対称部分２２の断面形状、及び格納室３の第１格納室部３１の断面形状は、図１０に示される形状に限られるものではなく、図１６に示される様に、２軸Ｘ１，Ｘ２のうち他方の軸Ｘ２に対して非対称であってもよい。これにより、非対称部分２２の断面形状、及び第１格納室部３１の断面形状は、挿入方向軸Ｚの回りで回転非対称となる。
【００３７】
又、充電池２の非対称部分２２の断面形状、及び格納室３の第１格納室部３１の断面形状は、図１７に示される様に、両軸Ｘ１，Ｘ２に対して非対称であってもよい。但し、この場合、充電池２の非対称部分２２の断面形状、及び格納室３の第１格納室部３１の断面形状は、図１７に示される形状のように、挿入方向軸Ｚの回りで回転非対称となる必要がある。
【００３８】
尚、本発明の各部構成は上記実施の形態に限らず、特許請求の範囲に記載の技術的範囲内で種々の変形が可能である。例えば、上述した技術は、デジタルカメラに限らず、ビデオカメラや携帯電話機など、格納室を有する種々の電子機器に適用することができる。又、格納室に格納される物品は、充電池に限らずバッテリパックやメモリカードなどであってもよい。
【図面の簡単な説明】
【００３９】
【図１】本発明の実施の形態に係るデジタルカメラを示す斜視図である。
【図２】該デジタルカメラを底面側から見た斜視図である。
【図３】該デジタルカメラにおいて格納室に充電池が挿入されようとしている状態を示す斜視図である。
【図４】該デジタルカメラを底面側から見た平面図である。
【図５】図４に示されるV−V線に沿う断面図である。
【図６】図５に示されるVI領域の拡大図である。
【図７】該デジタルカメラに用いられる充電池を示す斜視図である。
【図８】図７に示されるVIII−VIII線に沿う断面図である。
【図９】図７に示されるIX−IX線に沿う断面図である。
【図１０】第１の姿勢における充電池と第１格納室部との位置関係を示す図である。
【図１１】第１の姿勢或いは第２の姿勢における充電池と第２格納室部との位置関係を示す図である。
【図１２】第２の姿勢における充電池と第１格納室部との位置関係を示す図である。
【図１３】上記デジタルカメラに対する改良形態の一例を示す断面図である。
【図１４】上記デジタルカメラに対する改良形態の他の例の１つを示す断面図である。
【図１５】上記デジタルカメラに対する改良形態の他の例の１つを示す断面図である。
【図１６】上記デジタルカメラに対する改良形態の更なる他の例の１つを示す断面図である。
【図１７】上記デジタルカメラに対する改良形態の更なる他の例の１つを示す断面図である。
【符号の説明】
【００４０】
１  カメラ本体
２  充電池（物品）
２１  対称部分
２２  非対称部分
３  格納室
３ａ  入口
３１  第１格納室部
３１１  内壁
３１４，３１５  傾斜面
３２  第２格納室部
３２１  内壁
Ｘ１，Ｘ２  直交する２軸
Ｚ  挿入方向軸
【図１】
2010107684.tif 000003
【図２】
2010107684.tif 000004
【図３】
2010107684.tif 000005
【図４】
2010107684.tif 000006
【図５】
2010107684.tif 000007
【図６】
2010107684.tif 000008
【図７】
2010107684.tif 000009
【図８】
2010107684.tif 000010
【図９】
2010107684.tif 000011
【図１０】
2010107684.tif 000012
【図１１】
2010107684.tif 000013
【図１２】
2010107684.tif 000014
【図１３】
2010107684.tif 000015
【図１４】
2010107684.tif 000016
【図１５】
2010107684.tif 000017
【図１６】
2010107684.tif 000018
【図１７】
2010107684.tif 000019